【手続補正書】
【提出日】平成26年12月17日(2014.12.17)
【手続補正１】
【補正対象書類名】明細書
【補正対象項目名】００７９
【補正方法】変更
【補正の内容】
【００７９】
本発明の趣旨及び範囲から逸脱することなく、様々な修正を行ってもよい。これらの及び他の実施形態は、以下の特許請求の範囲に含まれる。
以下に、本願発明に関連する発明の実施形態について列挙する。
［実施形態１］
物品の滅菌方法であって、
滅菌される物品と、複数のラップユニットの積重ね体を含む滅菌ラップシステムと、を準備することを含み、それぞれのラップユニットが上面及び下面を備え、少なくとも１つのラップユニットが、取り付け手段を介して積重ね体の少なくとも１つの他のラップユニットに取り外し可能に取り付けられ、
積重ね体から第１のラップユニットを取り外すことと、
物品を第１のラップユニットで包装することと、
包装された物品を滅菌条件に曝露することと、を含む、滅菌方法。
［実施形態２］
物品の滅菌方法であって、
滅菌される物品と、積重ね体として構成された複数のラップユニットを含む滅菌ラップシステムと、を準備することと、それぞれのラップユニットは上面及び下面を備え、少なくとも１つのラップユニットは、取り付け手段を介して積重ね体の少なくとも１つの他のラップユニットに取り外し可能に取り付けられ、
物品を第１のラップユニットに置くことと、第１のラップユニットは積重ね体の一番上のラップユニットであり、
物品を第１のラップユニットで包装することと、
第１のラップユニットを積重ね体から取り外すことと、
包装された物品を滅菌条件に曝露することと、を含む、滅菌方法。
［実施形態３］
物品の滅菌方法であって、
滅菌される物品と、積重ね体として構成された複数のラップユニットを含む滅菌ラップシステムと、を準備することを含み、前記ラップユニットのそれぞれが上面及び下面を備え、少なくとも第１のラップユニットが取り付け手段を介して前記積重ね体の第２のラップユニットに取り外し可能に取り付けられ、
前記第１と第２のラップユニットの間に前記物品を置くことと、
前記物品を前記第１及び第２のラップユニットで包装することと、
包装された物品を滅菌条件に曝露することと、を含む、滅菌方法。
［実施形態４］
前記第１のラップユニットを取り外すことが、前記第１のラップユニットを、それに取り付けられている第２のラップユニットとともに取り外すことを更に含み、前記物品を包装することが、前記第１及び第２のラップユニットで前記物品を包装することを含む、実施形態１又は２に記載の方法。
［実施形態５］
前記物品を包装することが、前記物品を前記第１及び第２のラップユニットで同時に包装することを含む、実施形態４に記載の方法。
［実施形態６］
前記物品を包装することが、１つのラップユニットの一部を同じラップユニットの別の部分に固定することを含む、実施形態１〜５のいずれか一項に記載の方法。
［実施形態７］
前記物品を包装することが、１つのラップユニットの一部を別のラップユニットの一部に固定することを含む、実施形態６に記載の方法。
［実施形態８］
一部を固定することが、前記取り付け手段を介してその一部を固定することを含む、実施形態６又は実施形態７に記載の方法。
［実施形態９］
留め具を介して、１つのラップユニットの一部を同じラップユニットの別の部分に固定すること又は１つのラップユニットの一部を別のラップユニットの一部に固定することを更に含む、実施形態１〜８のいずれか一項に記載の方法。
［実施形態１０］
前記留め具がインジケータを更に含む、実施形態９に記載の方法。
［実施形態１１］
滅菌ラップシステムであって、
積重ね体として構成された複数のラップユニットを含み、
前記ラップユニットのそれぞれはシート材料を含み、このシート材料は気相滅菌剤に対して実質的に透過性であり、病原微生物がそれを通過することを防ぐために十分な濾過特性を有し、
少なくとも１つのラップユニットは、前記積重ね体の別のラップユニットに取り付け手段を介して取り外し可能に取り付けられる、滅菌ラップシステム。
［実施形態１２］
前記シート材料が医療グレート紙又は不織布材料を含む、実施形態１１に記載の滅菌ラップシステム。
［実施形態１３］
前記不織布材料が、セルロース、レーヨン、熱可塑性ポリマー、前記材料のいずれかの誘導体、又は前記材料の任意の２つ以上の組み合わせを含む、実施形態１２に記載の滅菌ラップシステム。
［実施形態１４］
前記熱可塑性ポリマーが、ポリオレフィンポリマー、ポリエステルポリマー、又はポリアミドポリマーを含む、実施形態１３に記載の滅菌ラップシステム。
［実施形態１５］
前記シート材料が、エアレイプロセス、湿式プロセス、水流交絡プロセス、スパンボンディング、メルトブローン、ステープル繊維カーディング及びボンディング、並びに溶液紡糸からなる群から選択されるプロセスを使用して作製される、実施形態１１〜１４のいずれか一項に記載の滅菌ラップシステム。
［実施形態１６］
前記滅菌ラップが、本質的にスパンボンドポリプロピレン−メルトブローンポリプロピレン−スパンボンドポリプロピレンの３層ラミネートからなる、実施形態１１〜１５のいずれか一項に記載の滅菌ラップシステム。
［実施形態１７］
前記積重ね体のそれぞれのラップユニットが、存在する場合は、前記積重ね体のそのラップユニットのすぐ上に位置づけられているラップに取り外し可能に取り付けられる、実施形態１１〜１６のいずれか一項に記載の滅菌ラップシステム。
［実施形態１８］
前記取り付け手段が、接着手段、機械的手段、又は表面改質手段を含む、実施形態１１〜１７のいずれか一項に記載の滅菌ラップシステム。
［実施形態１９］
前記取り付け手段がろうを含む、実施形態１１〜１７のいずれか一項に記載の滅菌ラップシステム。
［実施形態２０］
前記取り付け手段が、第１のラップユニットの主面に位置づけられ、前記取り付け手段が、第２のラップユニットの主面に取り外し可能に取り付けられる、実施形態１１〜１９のいずれか一項に記載の滅菌ラップシステム。
［実施形態２１］
第１のラップユニットを第２のラップユニットに連結する前記取り付け手段が、前記第１及び第２のラップユニットのそれぞれの縁の少なくとも一部に沿って位置づけられる、実施形態１１〜１９のいずれか一項に記載の滅菌ラップシステム。
【手続補正２】
【補正対象書類名】特許請求の範囲
【補正対象項目名】全文
【補正方法】変更
【補正の内容】
【特許請求の範囲】
【請求項１】
物品の滅菌方法であって、
滅菌される物品と、積重ね体として構成された複数のラップユニットを含む滅菌ラップシステムと、を準備することを含み、前記ラップユニットのそれぞれが上面及び下面を備え、少なくとも第１のラップユニットが取り付け手段を介して前記積重ね体の第２のラップユニットに取り外し可能に取り付けられ、
前記第１と第２のラップユニットの間に前記物品を置くことと、
前記物品を前記第１及び第２のラップユニットで包装することと、
包装された物品を滅菌条件に曝露することと、を含む、滅菌方法。
【請求項２】
前記物品を包装することが、１つのラップユニットの一部を同じラップユニットの別の部分に固定することを含み、前記一部を固定することが、前記取り付け手段を介してその一部を固定することを含む、請求項１に記載の方法。
【請求項３】
滅菌ラップシステムであって、
積重ね体として構成された複数のラップユニットを含み、
前記ラップユニットのそれぞれはシート材料を含み、このシート材料は気相滅菌剤に対して実質的に透過性であり、病原微生物がそれを通過することを防ぐために十分な濾過特性を有し、
少なくとも１つのラップユニットは、前記積重ね体の別のラップユニットに取り付け手段を介して取り外し可能に取り付けられており、
前記滅菌ラップが、本質的にスパンボンドポリプロピレン−メルトブローンポリプロピレン−スパンボンドポリプロピレンの３層ラミネートからなる、
滅菌ラップシステム。